(57)【要約】【課題】装飾性に優れ、かつジグソーパズルの収納機能と額縁機能の両機能を併せもったパズル用パネルボックスを提供する。【解決手段】パズル用パネルボックス１は、ジグソーパズル２を収納する箱体３と、箱体３の前面開口部４を覆う蓋体５とを備えている。蓋体５は、開口部１３ａを有する枠状の蓋本体１３と、蓋本体１３の開口部１３ａを裏面側から覆う透明カバー１４および裏台紙１５とを備え、組上がったジグソーパズル２の額縁１６として用いられる。蓋体３は、額縁１６の背面に嵌合されることにより、額縁１６を卓上に立てて飾るとき、立て掛け部材として機能し、安定な設置を可能する。【選択図】  図２
0003150161.tif 000002
【実用新案登録請求の範囲】
【請求項１】
ジグソーパズルのピースを収納する前面が開口した箱体と、前記箱体の前面開口部を覆う蓋体とを備え、
前記蓋体は、開口部を有する枠状の蓋本体と、前記蓋本体の開口部を裏面側から覆う透明カバーおよび裏台紙とからなり、これらによって前記ジグソーパズルの額縁を構成するパズル用パネルボックス。
【請求項２】
請求項１記載のパズル用パネルボックスにおいて、
前記蓋本体は、背面に前記透明カバー、組上がったジグソーパズルおよび前記裏台紙を収納する収納凹部と、前記裏台紙を係止する複数の係止片とを備えているパズル用パネルボックス。
【請求項３】
請求項１または２記載のパズル用パネルボックスにおいて、
前記箱体は、前面に設けられた嵌合部を備え、
前記蓋本体は、背面に前記箱体の嵌合部に嵌合する嵌合部を備え、前記箱体に着脱可能に結合されているパズル用パネルボックス。
【請求項４】
請求項１または２記載のパズル用パネルボックスにおいて、
前記箱体は、前面外周部に設けられた嵌合凸部および前面内周部に設けられた嵌合凹部とを備え、
前記蓋本体は、前記箱体より小さく形成されて外周が前記嵌合凹部に嵌合することにより前記箱体に着脱可能に結合されているパズル用パネルボックス。
【請求項５】
請求項１〜４のうちのいずれか一項記載のパズル用パネルボックスにおいて、
前記蓋体は、前記蓋本体を立て掛ける立て掛け部材をさらに備えているパズル用パネルボックス。
【請求項６】
請求項１〜５のうちのいずれか一項記載のパズル用パネルボックスにおいて、
さらに中台紙とカバー紙とを備え、
前記箱体および前記蓋体は、出荷時に前記蓋本体の開口部に前記中台紙をはめ込み、前記カバー紙により覆われた状態で熱収縮フィルムによりシュリンクパックされているパズル用パネルボックス。
【請求項７】
請求項１〜５のうちのいずれか一項記載のパズル用パネルボックスにおいて、
さらにパズルボックス用ケースを備え、前記箱体および前記蓋体は、出荷時に前記パズルボックス用ケースに収納された状態で熱収縮フィルムによりシュリンクパックされているパズル用パネルボックス。
【請求項８】
請求項１〜７のうちのいずれか一項記載のパズル用パネルボックスにおいて、
前記箱体と前記蓋本体が、合成樹脂または木材によって形成されているパズル用パネルボックス。
【考案の詳細な説明】
【技術分野】
【０００１】
本考案は、ジグソーパズルを収納保管したり、あるいは壁面や卓上に飾る際に用いて好適なパズル用パネルボックスに関するものである。
【背景技術】
【０００２】
一般にジグソーパズルは、図柄が表示された平板状の基材を分割して形成した多数のピース（断片）からなり、これらのピースをばらばらな状態にして包装箱に入れて販売されており、購買者が購入して包装箱の表面等に印刷された図柄を見ながらピースを元通りに組上げて遊ぶ玩具である。組上がったジグソーパズルは、通常適当な大きさの額縁にはめ込まれ、部屋や廊下の壁、または卓上にディスプレイとして飾られる。このため、通常メーカーは販売形態としてジグソーパズルと額縁を別個に販売したり、あるいはジグソーパズルと額縁をワンセットにして販売している（先行技術文献１〜３参照）。
【先行技術文献】
【特許文献】
【０００３】
【特許文献１】特開２００３−２５１０８３号公報
【特許文献２】特開２００６−２１７９９９号公報
【特許文献３】特開２００６−１５８７８４号公報
【考案の概要】
【考案が解決しようとする課題】
【０００４】
しかしながら、ジグソーパズルのピースを収納する従来の包装箱は、その殆どがボール紙製の比較的粗末な箱であるため、容易に潰れたり、破損し易く、ジグソーパズルを組上げて楽しんだ後、再びピースをばらばらに分解して保管する場合には包装箱の代わりに丈夫なケース、例えば木材、プラスチックまたは金属製のケースを収納ケースとして別途用意する必要があるという不具合があった。
【０００５】
本考案は上記したような従来の問題を解決するためになされたもので、その目的とするところは、装飾性に優れ、かつジグソーパズルのピースの収納機能と組上がったジグソーパズルを収納し飾る額縁機能の両機能を併せもったパズル用パネルボックスを提供することにある。
【課題を解決するための手段】
【０００６】
上記目的を達成するために、本考案は、ジグソーパズルのピースを収納する前面が開口した箱体と、前記箱体の前面開口部を覆う蓋体とを備え、前記蓋体は、開口部を有する枠状の蓋本体と、前記蓋本体の開口部を裏面側から覆う透明カバーおよび裏台紙とからなり、これらによって前記ジグソーパズルの額縁を構成するものである。
【０００７】
また、本考案は、上記考案において、前記蓋本体が、背面に前記透明カバー、組上がったジグソーパズルおよび前記裏台紙を収納する収納凹部と、前記裏台紙を係止する複数の係止片とを備えているものである。
【０００８】
また、本考案は、上記考案において、前記箱体が前面に設けられた嵌合部を備え、前記蓋本体が背面に前記箱体の嵌合部に嵌合する嵌合部を備え、前記箱体に着脱可能に結合されているものである。
パズル用パネルボックス。
【０００９】
また、本考案は、上記考案において、  前記箱体が前面外周部に設けられた嵌合凸部および前面内周部に設けられた嵌合凹部とを備え、前記蓋本体が前記箱体より小さく形成されて外周が前記嵌合凹部に嵌合することにより前記箱体に着脱可能に結合されているものである。
【００１０】
また、本考案は、上記考案において、前記蓋体が前記蓋本体を立て掛ける立て掛け部材をさらに備えているものである。
【００１１】
また、本考案は、上記考案において、さらに中台紙とカバー紙とを備え、前記箱体および前記蓋体は、出荷時に前記蓋本体の開口部に前記中台紙をはめ込み、前記カバー紙により覆われた状態で熱収縮フィルムによりシュリンクパックされているものである。
【００１２】
また、本考案は、上記考案において、さらにパズルボックス用ケースを備え、前記箱体および前記蓋体が出荷時に前記パズルボックス用ケースに収納された状態で熱収縮フィルムによりシュリンクパックされているものである。
【００１３】
さらに、本考案は、上記考案において、前記箱体と前記蓋本体が、合成樹脂または木材によって形成されているものである。
【考案の効果】
【００１４】
本考案においては、箱体と蓋体がジグソーパズルのピースを収納する収納ケースを構成するため、別途収納ケースを用意する必要がない。蓋体は、蓋本体、透明カバーおよび裏台紙とからなり、これらによってジグソーパズルの額縁を構成するため、装飾的効果が得られ、市販の額縁を別途購入する必要がない。箱体はジグソーパズルのピースの収納機能に加えて、額縁を卓上に安定した状態で設置する立て掛け部材としての機能を併せもっている。すなわち、箱体は、額縁の背面に取付けられることにより、額縁の厚み（奥行き寸法）を実質的に増大させる。したがって、額縁を卓上に安定した状態で設置することができる。
【００１５】
中台紙は、蓋本体の開口部にはめ込まれることにより、シュリンクパックされた熱収縮フィルムが密着し、フィルムの破損を防止する。すなわち、中台紙を備えない場合、熱収縮フィルムでシュリンクパックすると、蓋本体の開口部において熱収縮フィルムと収納凹部に収納されている透明カバーとの間に空間が生じ、熱収縮フィルムが破れ易くなる。これに対して、中台紙を蓋本体の開口部にはめ込み透明カバーと熱収縮フィルムとの間の隙間をなくすと、熱収縮フィルムが中台紙に密着するため、熱収縮フィルムは破れ難くなる。
【００１６】
箱体と蓋本体は合成樹脂または木材製であるため、ボール紙製の収納ケースに比べて強度が大きくて潰れたり破損しにくく、長期保管に耐え得る。
【図面の簡単な説明】
【００１７】
【図１】本考案に係るパズル用パネルボックスの第１の実施の形態を示すシュリンクパックされた状態の外観斜視図である。
【図２】同パズル用パネルボックスの分解斜視図である。
【図３】同パズル用パネルボックスの断面図である。
【図４】額縁の背面図である。
【図５】同パネル用パネルボックスのディスプレイ形態１、２の外観斜視図である。
【図６】同パズル用パネルボックスのディスプレイ形態３の外観斜視図である。
【図７】本考案の第２の実施の形態を示す外観斜視図である。
【図８】本考案の第３の実施の形態を示す外観斜視図である。
【図９】要部の拡大断面図である。
【図１０】第４の実施の形態を示す要部の拡大断面図である。
【考案を実施するための形態】
【００１８】
以下、本考案を図面に示す実施の形態に基づいて詳細に説明する。
図１〜図４に示す第１の実施の形態において、パズル用パネルボックス１は、多数のピース２Ａ、２Ｂ、・・・２Ｎからなるジグソーパズル２を収納する箱体３と、この箱体３の前面開口部４を覆う蓋体５とを備え、工場出荷時には図１に示すようにカバー紙６によって覆われ、さらに透明な熱収縮フィルム７によって全体をシュリンクパックされた状態で出荷され、販売店の商品棚に書籍と同じように立てた状態で陳列、販売される。
【００１９】
前記ジグソーパズル２は、多数のピース２Ａ、２Ｂ、・・・２Ｎをばらばらに分解してビニール袋８に額縁用の立て掛け部材９および吊り紐１０とともに封入された状態で箱体３に収納されている。ジグソーパズル２のピース２Ａ、２Ｂ、・・・２Ｎは、例えば１５０ピースからなり、組み上げられたジグソーパズル２の大きさは、例えばＡ５サイズ（１４８×２１０ｍｍ）である。なお、図２においては、立て掛け部材９と吊り紐１０の視認を容易にするために、これらをビニール袋８から取り出して箱体３に収納した状態を示したが、実際の販売時にはばらばらにならないにようにするために前記ビニール袋８、またはジグソーパズル２とは別個に適宜なビニール袋に入れられた状態で箱体３に収納されるものである。
【００２０】
前記箱体３は、木材または合成樹脂製で、４つの側板３ａ〜３ｄと、背面板３ｅとによって前面が開口する直方体の箱体に形成されている。箱体３の大きさは、例えば２４６ｍｍ（横）×１８４ｍｍ（縦）×３０（奥行き）ｍｍで、側板３ａ〜３ｄの板厚が７ｍｍ、背面板３ｅの板厚が４ｍｍ程度とされる。このため、箱体３としては、ジグソーパズル２の収納ケースとして十分に大きな強度を有している。
【００２１】
また、箱体３の前面１１には、前記蓋体５の一構成部材である後述する蓋本体１３が着脱可能に嵌合する嵌合部１２が一体に設けられている。嵌合部１２は、前記前面１１の内側縁に沿って、側板３ａ〜３ｄの板厚の半分程度の厚さをもってこれら側板の全周にわたって一体に突設された矩形枠状の突条体で構成されている。なお、嵌合部１２の高さは６ｍｍ、厚みは３ｍｍ程度である。
【００２２】
前記蓋体５は、箱体３の前面開口部４を覆う蓋体としての機能に加えて、ジグソーパズル２の額縁１６としての機能をもたせたもので、開口部１３ａを有する蓋本体１３と、この蓋本体１３の開口部１３ａを背面側から覆う透明カバー１４および裏台紙１５とで構成されている。
【００２３】
蓋本体１３は、箱体３と同一材料からなる木材または合成樹脂製で、例えば２４６ｍｍ（横）×１８４ｍｍ（縦）×１０（厚さ）ｍｍの矩形枠体からなり、開口部１３ａが２０２ｍｍ×１４０ｍｍの大きさで、その深さが４ｍｍ程度とされる。蓋本体１３の背面側には、前記透明カバー１４、組上がったジグソーパズル２および裏台紙１５を収納する収納凹部１７が形成されている。収納凹部１７は、前記開口部１３ａより大きく、完成したジグソーパズル２よりも若干大きい、例えば、２１０ｍｍ×１４８ｍｍの大きさで、深さが６ｍｍ程度とされる。
【００２４】
蓋本体１３の背面１３ｂには、前記箱体３の嵌合部１２に嵌合する嵌合部１８が形成されている。嵌合部１８は、蓋本体１３の背面１３ｂの全周にわたって形成された矩形の枠状溝で構成されており、その溝幅は、前記嵌合部１２の厚みと略等しく、深さは嵌合部１２の高さと略等しい。また、蓋本体１３の背面１３ｂには、裏台紙１５を係止し、透明カバー１４、ジグソーパズル２および裏台紙１５の収納凹部１７からの脱落を防止する、例えば６個の係止片１９（図３、図４）が止めねじ２０によって回動可能に取付けられている。係止片１９には、図５に示すように蓋体６を吊り紐１０により額縁１６として壁面に吊り下げて飾るときに、前記吊り紐１０が挿通される挿通孔２１を有している。
【００２５】
さらに、蓋本体１３の背面１３ｂで互いに直交する２辺には、前記立て掛け部材９が選択的に差し込まれるスタンド用凹部２２ａ、２２ｂがそれぞれ形成されている。立て掛け部材９は、額縁１６を卓上に立て掛けて飾るときに用いられるもので、直径が６ｍｍ、長さが８０ｍｍ程度の丸いスタンド棒からなり、額縁１６を横向きに立て掛けるときは、長辺側に設けたスタンド用凹部２２ａに一端を差し込み、縦向きに立て掛けるときは短辺側に設けたスタンド用凹部２２ｂに一端を差し込み、他端側を卓上に接地させることにより支持脚として機能する。なお、立て掛け部材９としては、スタンド棒を用いた例を示したが、これに限らず厚肉のボール紙等からなり裏台紙１５の背面に折り畳み自在に取付けられる立て掛け部材であってもよい。
【００２６】
前記透明カバー１４は、蓋本体１３の開口部１３ａを覆うことによりジグソーパズル２を保護し、埃等がジグソーパズル２の表面に付着するのを防止するために用いられるもので、ポリエチレンテレフタレート（ＰＥＴ）等の透明な合成樹脂によって形成され、前記収納凹部１７より若干小さい大きさを有している。
【００２７】
前記裏台紙１５は、透明カバー１４と同一の大きさで、例えば厚さが２ｍｍ程度のボール紙によって形成され、表面に組上がったジグソーパズル２が糊付け固定された状態で蓋本体１３の収納凹部１７にはめ込まれる。
【００２８】
前記カバー紙６は、ボール紙によって形成され、背面紙６Ａと、背面紙６Ａの隣り合う２辺に裏面側に折り曲げ形成された２つの折り曲げ片６Ｂ、６Ｃとからなり、表面にはパズル用パネルボックス１の商品情報等が印刷表示されている。このようなカバー紙６は、背面紙６Ａで箱体３の背面を覆い、２つの折り曲げ片６Ｂ、６Ｃで箱体３と蓋本体１３の４つの側面のうち、パズル用パネルボックス１を立て掛けて売り場の棚に陳列した際に、前方を向く垂直な側面と、上方を向く側面を覆うようにパズル用パネルボックス１に密接される。なお、各折り曲げ片６Ｂ、６Ｃの一端部には、箱体３と蓋本体１３の地肌を視認可能にする穴２３がそれぞれ形成されている。
【００２９】
さらに、パズル用パネルボックス１は、中台紙２４を備えている。中台紙２４は、表面に商品名、ジグソーパズル２の完成図柄等が印刷されたボール紙等からなり、出荷時にパズル用パネルボックス１を熱収縮フィルム７でシュリンクパックする際に、蓋本体１３の開口部１３ａによる段差をなくすために用いられるものである。すなわち、蓋本体１３の開口部１３ａは４ｍｍ程度の深さをもって形成されているため、箱体３と蓋体５とを嵌合して熱収縮フィルム７でシュリンクパックすると、蓋本体１３の表面と透明カバー１４との間に開口部１３ａによる段差が生じ、開口部１３ａに対応するフィルム部分が蓋本体１３に対して密着せず非密着部分を形成する。このため、シュリンクパックされたパズル用パネルボックス１を取り扱うときに、指先が熱収縮フィルム７の前記非密着部分に引っ掛けて破損させてしまうおそれがある。そこで、中台紙２４を開口部１３ａにはめ込んで開口部１３ａによる段差をなくすと、熱収縮フィルム７を中台紙２４の表面に密着させた状態でシュリンクパックできるため、指先が熱収縮フィルム７に引っ掛かって破損させるおそれがなく、パズル用パネルボックス１の取り扱いを容易にする。中台紙２４の厚みとしては、開口部１３ａの深さにジグソーパズル２の板厚を加えた値と略等しく設定され、これにより中台紙２４の表面を蓋本体１３の表面１３ｃと同一面になるようにしている。すなわち、シュリンクパックするときは、額縁１６にジグソーパズル２をはめ込まないため、中台紙２４の厚みを開口部１３ａの深さとジグソーパズル２の厚みを加えた厚みとすることが望ましい。なお、中台紙２４は、パズル用パネルボックス１をシュリンクパックしたときの熱収縮フィルム７の保護と、ジグソーパズル２の完成図柄の表示を目的とするものであり、組上がったジグソーパズル２を額縁１６に入れて飾るときには必要のないものである。
【００３０】
このようなパズル用パネルボックス１は、ジグソーパズル２のピースを収納するための収納ケースとしての機能と、組上げた後のジグソーパズル２をディスプレイとして部屋や廊下の壁面や卓上に飾るときの額縁としての機能を有している。
【００３１】
収納ケースとして用いるときは、多数のピース２Ａ、２Ｂ、・・・２Ｎをばらばらな状態にして箱体３に立て掛け部材９および吊り紐１０とともに収納し、蓋体５を箱体３に嵌合し、箱体３の前面開口部４を塞げばよい。箱体３と蓋体５は、木材または合成樹脂製で、ボール紙製の収納ケースに比べて十分な強度を有しているため、重い物を載せても潰れたり、破損したりするおそれがなく、保管性に優れている。
【００３２】
組上がったジグソーパズル２をパズル用パネルボックス１により部屋や廊下の壁面または卓上に飾るときのディスプレイ態様としては、図５に示すディスプレイ態様１、２と、図６に示すディスプレイ態様３とが考えられる。すなわち、図５において、ディスプレイ態様１は、額縁１６を部屋や廊下の壁面に取付けたフック３０に吊り紐１０で吊り下げて飾る態様である。
【００３３】
同じく図５において、ディスプレイ態様２は、額縁１６を立て掛け部材９によって卓上に立て掛けて飾る態様である。このときは、吊り紐１０が不要である。
【００３４】
図６において、ディスプレイ態様３は、箱体３を額縁１６の背面に嵌合し、卓上に立て掛けて飾る態様である。この場合は、ディスプレイ態様２に比べて奥行き寸法が大きくて安定性に優れ、また額縁１６の背面が視認されないため、装飾性も優れている。
【００３５】
このように本考案によれば、良好な収納機能と額縁機能とを兼ね備え、実用性および装飾性に優れたパズル用パネルボックス１を提供することができる。
【００３６】
図７に示す本考案の第２の実施の形態は、上記したカバー紙６の代わりにパズルボックス用ケース４０を備え、箱体３と蓋体５を嵌合によって一体的に結合してなるパズルボックス用ケース１を出荷時に前記パズルボックス用ケース４０に収納した状態で熱収縮フィルム（（図示せず）によりシュリンクパックするようにしたものである。パズルボックス用ケース４０は、ボール紙または合成樹脂によってパズル用パネルボックス１より若干大きい６面体からなる箱型に形成されて、長辺側の一側面に挿入孔４１を有し、この挿入孔４１からパズル用パネルボックス１が挿入されることにより、パズル用パネルボックス１の５つの面を覆う。その他の構造は、上記した第１の実施の形態と同一であるため、その説明を省略する。
【００３７】
このようなパズルボックス用ケース４０を備えたパズル用パネルボックス１において、工場出荷時に、パズルボックス用ケース４０にパズル用パネルボックス１を挿入孔４１から収納して熱収縮フィルムでシュリンクパックすると、熱収縮フィルムがパズルボックス用ケース４０の表面に密着するため、熱収縮フィルムが破損するおそれが少なく、パズル用パネルボックス１の搬送、店頭への陳列作業等において取り扱いを一層容易にすることができる。
【００３８】
また、不透明材料でパズルボックス用ケース４０を形成した場合は、蓋本体１３の開口部１３ａにはめ込まれる中台紙２４が外部から視認されなくなるため、印刷が施されていない 厚手の段ボールなどであってもよく、また中台紙２４を必ずしも必要としない。
【００３９】
図８および図９に示す本考案の第３の実施の形態は、箱体３の前面１１の外周部に嵌合凸部４５を一体に突設してその内側を嵌合凹部４６とし、これらによって箱体３の嵌合部としている。このため、嵌合凸部４５の内周壁は、嵌合凹部４６の外周壁を兼用している。蓋本体１３は、箱体３の前面内周部に形成された嵌合凹部４６より若干小さい矩形枠状体に形成されて前記嵌合凹部４６に嵌合されることにより、前記箱体３に着脱可能に結合されている。箱体３と蓋本体１３との嵌合状態において、嵌合凸部４５の先端面と蓋本体１３の表面１３ｃは、同一面を形成する。
【００４０】
図１０に示す本考案の第４の実施の形態は、箱体３の前面１１の外周部と内周部に嵌合凸部４５と嵌合凹部４６とからなる嵌合部を全周にわたって一体に、かつ互いに隣り合わせに形成し、蓋本体１３の背面外周縁部に嵌合凹部５０と嵌合凸部５１とからなる嵌合部を前記箱体３の嵌合凸部４５と嵌合凹部４６に対応して形成し、嵌合凸部４５と嵌合凹部５０との嵌合および嵌合凹部４６と嵌合凸部５１との嵌合によって、箱体３と蓋本体１３を着脱可能に結合させるようにしたものである。このような構成においても、上記した実施の形態と同様な効果が得られることは明らかであろう。
【符号の説明】
【００４１】
１…パズル用パネルボックス、２…ジグソーパズル、２Ａ、２Ｂ、２Ｎ…ピース、３…箱体、４…前面開口部、５…蓋体、６…カバー紙、９…立て掛け部材、１０…吊り紐、１２…嵌合部、１３…蓋本体、１３ａ…開口部、１４…透明カバー、１５…裏台紙、１６…額縁、１７…収納凹部、１８…嵌合部、１９…係止片、２４…中台紙、４０…パズルボックス用ケース。
【図１】
0003150161.tif 000003
【図２】
0003150161.tif 000004
【図３】
0003150161.tif 000005
【図４】
0003150161.tif 000006
【図５】
0003150161.tif 000007
【図６】
0003150161.tif 000008
【図７】
0003150161.tif 000009
【図８】
0003150161.tif 000010
【図９】
0003150161.tif 000011
【図１０】
0003150161.tif 000012